【手続補正書】
【提出日】平成17年9月1日(2005.9.1)
【手続補正１】
【補正対象書類名】明細書
【補正対象項目名】全文
【補正方法】変更
【補正の内容】
【書類名】    明細書
【発明の名称】棚受け金具
【特許請求の範囲】
【請求項１】
上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在にビス止めすることで、棚板の一側端部を前記下側部材の棚板挟持用横向下板部と上側部材の棚板挟持用横向上板部とにより挟着自在としたことを特徴とする棚受け金具。
【請求項２】
上側部材の棚厚調整用縦板には上側調厚用長孔が穿設され、下側部材の立設基板は上記棚厚調整用縦板が挟持される下側嵌合溝の開口された対板構成であると共に、各立設基板には夫々ビス止め用の下側頭部用孔と下側締着用螺孔とが設けられて、必要に応じて上記棚厚調整用縦板と立設基板との各圧接面には滑止用凹凸が形成されている請求項１に記載の棚受け装置。
【請求項３】
下側部材の立設基板には下側調厚用長孔が穿設され、上側部材の棚厚調整用縦板には上記立設基板が挟持される上側嵌合溝の開口された対板構成であると共に、各棚厚調整用縦板には夫々ビス止め用の上側頭部用孔と上側締着用螺孔とが設けられ、必要に応じ上記棚厚調整用縦板と立設基板との各圧接面には滑止用凹凸が形成されている請求項１に記載の棚受け装置。
【請求項４】
上側部材の棚厚調整用縦板には上側調厚用長孔が穿設され、下側部材の立設基板にはビス止め用の下側締着用螺孔が設けられ、必要に応じ上記棚厚調整用縦板と立設基板との各圧接面には滑止用凹凸が形成されている請求項１に記載の棚受け装置。
【請求項５】
下側部材の立設基板には下側調厚用長孔が穿設され、上側部材の棚厚調整用縦板にはビス止め用の上側締着用螺孔が設けられ、必要に応じ上記棚厚調整用縦板と立設基板との各圧接面には滑止用凹凸が形成されている請求項１に記載の棚受け装置。
【請求項６】
上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在にビス止めすることで、棚板の一側端部を前記下側部材の棚板挟持用横向下板部と上側部材の棚板挟持用横向上板部とにより挟着自在となし、さらに上記した下側部材にあって壁体へ指向して延設した下位支持腕の先端部には、壁体に当接自在なるよう形成された押当支持部と、これより連設の延出調整部とからなる受承脚を、壁体へ向け延出自在なるよう調整ビスにより止着するようにしたことを特徴とする棚受け金具。
【請求項７】
上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在なるよう遊貫した木螺子が、当該棚板の一側端縁面から螺着されることで、棚板の一側端部を前記下側部材の棚板挟持用横向下板部と上側部材の棚板挟持用横向上板部とにより挟着自在としたことを特徴とする棚受け金具。
【請求項８】
木螺子は、下側部材の立設基板に穿設の頭部用孔から、上側部材の棚厚調整用縦板に穿設した上側調厚用長孔を介して棚板の一側端縁面に螺着され、上記立設基板と下側部材の棚板挟持用横向下板部との間に離間凹設した係嵌用溝を具備し、当該係嵌用溝に上記棚厚調整用縦板の下端部が係嵌することで、板厚の小さな棚板をも、上記した上側部材の棚板挟持用横向上板部と、下側部材の棚板挟持用横向下板部とにより挟着自在とした請求項７に記載の棚受け装置。
【発明の詳細な説明】
【０００１】
【発明の属する技術分野】
本発明は住宅とか家具等の壁面に対して、棚板を取り付けるのに供して好適な棚受け金具に係るものである。
【０００２】
【従来の技術】
【特許文献】    実公平７−１５４７６
【０００３】
上掲実公平７−１５４７６には、本願の図１０に例示する如く棚板ａを壁体Ａの所望箇所に取着して棚受け装置Ｂを得ようとする際、予め製作された棚受け金具ｂを図示しない木螺子などで壁体Ａに取着し、その後当該棚受け金具ｂに固設されている横受板ｃと、その上位に突設された上位押当板ｄとの間に棚板ａを嵌合させ、さらに図示されていない締着螺子を用いて棚板ａを上位押当板ｄと横受板ｃの一方または双方に対して固定するようにしている。
【０００４】
従って上記従来例によるときは、壁体Ａに棚受け金具ｂを取着しておき、かくて高所などに固設された該棚受け金具ｂの横受板ｃと上位押当板ｄとの間に、棚板ａの一側端部を差し入れなければならないため、作業性が悪くしかもこの際寸法上の誤差が原因で棚板ａが嵌合不能であるときには、棚板ａの一側端部を削って板厚を調整しなければならず、この結果当該作業に可成りの時間と労力を費やすことになり、削り具合が不正確であると削成作業を繰り返し行わねばならないことになる。また削り過ぎなどの際には、新規な棚板ａを使わねばならず、さらに棚板ａを前記の如くビスなどにより棚受け金具ｂに取着する作業は、比較的高い箇所で行うことになるので作業性が悪いばかりか、予め夫々各別に製作される棚受け金具ｂと棚板ａとの寸法上における整合性が要求されるので、両部材に可成りの寸法精度が必要となり、従って当該各部材を注文または購入する際にも寸法の整合に充分な注意を払わねばならない。
【０００５】
そこで上記旧来例の欠陥を解消するため、前同特許文献にあっては本願の図１１により略説する如き棚受け装置Ｂが開示されている。これによるときは上記旧来例の如く棚受け装置Ｂを一個の部材によって形成するのではなしに、装置上位部材Ｂ１と装置下位部材Ｂ２の二部材で構成し、装置上位部材Ｂ１の昇降用縦溝ｅに装置下位部材Ｂ２の昇降用突条部ｆを昇降自在なるよう係嵌させ、当該両者を相対的に昇降動可能としてある。これにより装置下位部材Ｂ２に対して装置上位部材Ｂ１を昇降動させることにより、装置上位部材Ｂ１の上位挟持部ｇと装置下位部材Ｂ２における下位挟持板部ｈとの離間寸法Ｌを、使用する棚板ａの厚さと整合するように調整した状態にあって、係合している装置上位部材Ｂ１と装置下位部材Ｂ２とを、予め貫設してある夫々の螺子孔ｉ、ｊから壁体Ａに対して、取着用螺子ｋを螺合締着して両者Ｂ１、Ｂ２を一体に取着する。
【０００６】
かくして上記の如く所定間隔長に調整済の離間寸法Ｌを確保させた上位挟持板部ｇと下位挟持板部ｈとの間に、別途用意されている所定厚の棚板ａを横向嵌合させ、さらに上位挟持板部ｇに穿設の取着用螺子孔ｍから固定用螺子ｎを螺入させることで、棚板ａを取着するようにしたものである。従って当該従来例によるときは、前掲旧来例に比し棚板ａの厚さに大小のばらつきがあっても、上位挟持板部ｇと下位挟持板部ｈとの離間寸法Ｌをアナログ的に調整することができることから、当該棚板ａの厚さに可成りの寸法差があって図１１（Ａ）のような厚手の棚板ａであっても、同図１１（Ｂ）の如き薄手の棚板ａであっても即応可能となり、棚板ａを削るといったことなしに対処でき、従って前記旧来例の如き大きな難点を解消することができる。
【０００７】
しかしこのような従来例にあっても、以下の如き各種の問題点が残されていることに着眼することができる。すなわち前記の通り上位挟持板部ｇと下位挟持板部ｈとをスライド自在に係嵌させた状態で、両者を壁体Ａに対して押当状態となるよう配装した後、装置上位部材Ｂ１を上向きか、装置下位部材Ｂ２を下向きにスライドさせるようにすることで、前記の離間寸法Ｌを所定長となるよう調整し、当該寸法が設定されたところで、当該状態を取着用螺子ｋの壁体Ａに対する螺入締着によって棚受け装置Ｂの取着作業が終わる。この結果上記のような作業を比較的高所において行うのであるから、離間寸法Ｌの寸法精度を確保しながら取着用螺子ｋを締着する作業には可成りの時間を要するだけでなく、作業それ自体も面倒なものとなり、離間寸法Ｌの再調整が必要となったり、また厚さ違う棚板Ａに交換しようとする場合には棚板ａを一旦取り外してしまった後、高所の取着用螺子ｋを螺回して置換させた後、前同作業により厚手の新規棚板ａを装填挟着しなければならず、作業性の点で満足すべき結果が得られていない。
【０００８】
【発明が解決しようとする課題】
本願発明では上記従来の各種難点を解消することのできる棚受け金具を提案しており、まず請求項１にあっては被係嵌部を具備した壁側取着用部材と係嵌部を備えた棚板側取着用部材とからなり、当該棚板側取着用部材は係嵌部と棚板挟持用横向上板部とによる押圧用上板部そして、これにより直交状に下突した棚厚調整用縦板とを備えてなる上側部材と、棚板を受載する棚板挟持用横向下板部を有する下側部材とにより構成するのである。そして下側部材の立設基板には、上側部材の棚厚調整用縦板を昇降動自在なるようビス止めすることで、当該棚板を下側部材の棚板挟持用横向下板部と上側部材の棚板挟持用横向上板部とにより挟着自在とするのである。かくして当該請求項１では棚板の厚さに追随して、これを棚板挟持用横向上板部と棚板挟持用横向下板部とによって確実に挟着可能とし、これにより高い信頼性をもって棚板の取着作業を実施可能とするのが、その目的である。      【０００９】
請求項２にあっては上記請求項１における棚受け装置において、その細部構成に関し前記の棚厚調整用縦板には上側調厚用長孔を穿設すると共に立設基板は、上記棚厚調整用縦板が挟持される下側嵌合溝の開口された対板構成であると共に、各立設基板には夫々ビス止め用の下側頭部用孔と下側締着用螺孔とが設けられ、さらに要すれば上記した棚厚調整用縦板と立設基板とに滑止用凹凸を形成することで、棚板の挟着作業を容易に行い得るようにすると共に、当該挟着状態が不本意に弛緩することのないようにしている。
【００１０】
次に請求項３にあっては、これまた請求項１において上記請求項２とは逆に立設基板に下側長孔用長孔を穿設し、当該立設基板が挟持される上側嵌合溝を開口させた一対の棚厚調整用縦板を上側部材に設定し、かつ当該各棚厚調整用縦板にビス止め用である上側頭部用孔と上側締着用螺孔とを設けるようにし、前記請求項２と同じく要すれば滑止用凹凸を形成することで、前説の請求項１の目的を確実に達成しようとしている。
【００１１】
さらに請求項４にあっても請求項１において、上記請求項２、３の場合よりも簡潔な構成としてあり棚厚調整用縦板に上側調厚用長孔を、そして立設基板にはビス止め用の下側締着用螺孔を設けると共に、これまた要すれば棚厚調整用縦板と立設基板との各圧接面に滑止用凹凸を形成することにより、請求項１の目的を円滑に達成しようとしている。
【００１２】
また請求項５の場合も請求項１において、請求項４とは反対に立設基板に下側調厚用長孔を、そして棚厚調整用縦板にビス止め用の上側締着用螺孔を夫々設けるようにし、また前同滑止用凹凸を必要に応じ設定することで、請求項１の目的を充分に達成できるようにしている。
【００１３】
本願の請求項６では、前掲請求項１の構成に加えて、下側部材にあって壁体へ向け延設した下位支持腕の先端部を、そのまま壁体に対し支承するのではなしに、別途受承脚なるものを用意し、これを壁体に当接自在な押当支持部と、これより連設された延出調整部とにより構成し、下位支持腕に延出自在なるよう延出調整部を調整ビスにより止着することで、丁度上記した押当支持部を壁体に対し支持状態に調整可能となし、かくて棚板側からの荷重を壁体により充分に支持可能として、棚板の支持強度に対する信頼性を確保しようとしている。
【００１４】
さらに請求項７では前記の請求項１や請求項６の構成と違って、前記した下側部材の立設基板に上側部材の棚厚調整用縦板を昇降動自在なるよう遊貫させた木螺子が、棚板の一側端縁面から螺着されるようにすることで、棚板を下側部材の棚板挟持用横向下板部と上側部材の棚板挟持用横向上板部とにより挟着するようにしている。このようにして当該請求項７では前掲請求項１、請求項６に比し単に棚板が挟着状態にあるだけでなく、直接に木螺子によっても下側部材に棚板が固定されていることから、棚板の取着強度が大となり、従って棚板上に可成りの負荷が加えられても棚板の挟着状態が弛むことで離脱するといった心配を解消しようとしている。
【００１５】
次に請求項８にあっては、上記の請求項７において前記した木螺子を立設基板の頭部用孔から棚厚調整用縦板の上側調整用長孔を介して棚板に螺入締着するだけでなく、立設基板と棚板挟持用横向下板部との間に凹設した係嵌用溝に、上記の棚厚調整用縦板が係嵌されるよう構成することで、板厚の小さな棚板でも充分に、しかも確実に挟着できるようにしている。
【００１６】
【課題を解決するための手段】
上記の目的を達成するため本願に係る請求項１にあっては、上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在にビス止めすることで、棚板の一側端部を前記下側部材の棚板挟持用横向下板部と上側部材の棚板挟持用横向上板部とにより挟着自在としたことを特徴とする棚受金具を提供しようとしている。
【００１７】
請求項２は上記請求項１における一実施態様を示すもので、上側部材の棚厚調整用縦板には上側調厚用長孔が穿設され、下側部材の立設基板は上記棚厚調整用縦板が挟持される下側嵌合溝の開口された対板構成であると共に、各立設基板には夫々ビス止め用の下側頭部用孔と下側締着用螺孔とが設けられ、必要に応じて上記棚厚調整用縦板と立設基板との各圧接面には滑止用凹凸が形成されていることを、その内容としている。
【００１８】
請求項３も上記請求項１の一実施態様を示しており、下側部材の立設基板には下側調厚用長孔が穿設され、上側部材の棚厚調整用縦板には上記立設基板が挟持される上側嵌合溝の開口された対板構成であると共に、各棚厚調整用縦板には夫々ビス止め用の上側頭部用孔と上側締着用螺孔とが設けられ、必要に応じ上記棚厚調整用縦板と立設基板との各圧接面には滑止用凹凸が形成されているのがその内容である。
【００１９】
さらに請求項４にあっても、前記請求項１の実施態様を示しており、上側部材の棚厚調整用縦板には上側調厚用長孔が穿設され、下側部材の立設基板にはビス止め用の下側締着用螺孔が設けられ、必要に応じ上記棚厚調整用縦板と立設基板との各圧接面には滑止用凹凸が形成されており、請求項５の場合も請求項１の一実施態様で、下側部材の立設基板には下側調厚用長孔が穿設され、上側部材の棚厚調整用縦板にはビス止め用の上側締着用螺孔が設けられ、必要に応じ上記棚厚調整用縦板と立設基板との各圧接面には滑止用凹凸が形成されていることを内容としている。
【００２０】
本願における請求項６にあっては、上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在にビス止めすることで、棚板の一側端部を前記下側部材の棚板挟持用横向下板部と上側部材の棚板挟持用横向上板部とにより挟着自在となし、さらに上記した下側部材にあって壁体へ指向して延設した下位支持腕の先端部には、壁体に当接自在なるよう形成された押当支持部と、これより連設の延出調整部とからなる受承脚を、壁体へ向け延出自在なるよう調整ビスにより止着するようにしたことを特徴とする棚受け金具が、その内容である。
【００２１】
さらに請求項７では、上向きまたは下向きに曲成されて凹設または突設された被係嵌部が横設されて壁体に取着可能とした壁側取着用部材と、上向きまたは下向きに曲成されて突設または凹設された係嵌部が横設されて棚板の一側端部に着脱可能である棚板側取着用部材とからなり、この棚板側取着用部材は上記の係嵌部と棚板挟持用横向上板部とからなる押圧用上板部と、これと直交状に下突の棚厚調整用縦板とを具備した上側部材と、前記の棚板を受載する棚板挟持用横向下板部を備えた下側部材とからなり、当該下側部材の立設基板には前記上側部材の棚厚調整用縦板を昇降動自在なるよう遊貫した木螺子が、当該棚板の一側端縁面から螺着されることで、棚板の一側端部を前記下側部材の棚板挟持用横向下板部と上側部材の棚板挟持用横向上板部とにより挟着自在としたことを特徴とする棚受け金具を提供しようとしている。
【００２２】
そして請求項８では、上記の請求項７において木螺子が下側部材の立設基板に穿設の頭部用孔から、上側部材の棚厚調整用縦板に穿設した上側調厚用長孔を介して棚板の一側端縁面に螺着され、上記立設基板と下側部材の棚板挟持用横向下板部との間に離間凹設した係嵌用溝を具備し、当該係嵌用溝に上記棚厚調整用縦板の下端部が係嵌することで、板厚の小さな棚板をも、上記した上側部材の棚板挟持用横向上板部と、下側部材の棚板挟持用横向下板部とにより挟着自在としたことを内容としている。
【００２３】
【発明の実施の形態】
本願の請求項１に係る棚受け装置にあっては、図１と図２によって理解される通り壁側取着用部材１と棚板側取着用部材４とからなり、前者である壁側取着用部材１は横長に形成されており、要すれば止め螺子２が貫通する螺子孔２ａを設けておくのがよく、また軽量化のため多数の空洞が開設され、これに設けられた被係嵌部１ａとしては、奥行きに向けて矢印Ｕの如く上向きに湾曲された凹曲溝条として形成されたものが例示されている。もちろん当該被係嵌部１ａとしては、これに限るものではなく下向きＤに湾曲させたり、また湾曲ではなしに上下へ曲折させるようにしてもよく、何れにしても被係嵌部１ａに棚板側取着用部材４の係嵌部４ａを抜け止め状態で着脱自在に係嵌できればよい。
【００２４】
さらに前掲棚板側取着用部材４につき詳記すると、これは上記の係嵌部４ａと棚板挟持用横向上板部４ｂとからなる押圧用上板部４ｃと、これと直交状に下突の棚厚調整用縦板４ｄとにより形成の上側部材４Ａと、棚板３を受載するための棚板挟持用横向下板部４ｅを備えている下側部材４Ｂとによって構成されている。そして下側部材４Ｂの立設基板４ｆには、上側部材４Ａの上記した棚厚調整用縦板４ｄを昇降動自在なるようビス４ｇにより固定することで、棚板３の一側端部３ａを、下側部材４Ｂの棚板挟持用横向下板部４ｅと、これまた上説の上側部材４Ａにおける棚板挟持用横向上板部４ｂとによって挟着自在となるよう構成されている。
【００２５】
従って請求項１による棚受け金具によるときは、図１（Ａ）（Ｂ）により理解される通り棚板３の厚さに追随して簡易迅速に棚板挟持用横向上板部４ｂと棚板挟持用横向下板部４ｅとの間にあって確実に挟着できる。
【００２６】
次に請求項２は請求項１に係る棚受け金具の一実施態様を開示したもので、ここでは上記した上側部材４Ａの棚厚調整用縦板４ｄにあって上側調厚用長孔４ｈが穿設されており、そして下側部材４Ｂにおける立設基板４ｆは上記棚厚調整用縦板４ｄが挟持される下側嵌合溝４ｊの開口された対板構成であると共に、各立設基板４ｆには夫々ビス４ｇ止め用の下側頭部用孔４ｇｄと下側締着用螺孔４ｉが貫設されている。この際図１では立設基板４ｆがＵ字状となるように二枚突設されることで、棚厚調整用縦板４ｄの嵌合溝４ｊが上向きに開口されている。さらに上記の棚厚調整用縦板４ｄと立設基板４ｆとの各圧接面には、不本意な滑動により棚板３に対する挟着状態が弛緩してしまうことを防止するための滑止用凹凸４ｋを形成するようにしている。
【００２７】
従って請求項２によるときは、棚板３の一側端部３ａを上側部材４Ａの棚板挟持用横向上板部４ｂと、下側部材４Ｂの棚板挟持用横向下板部４ｅとの間に簡易迅速に挟装することができ、当該挟持状態の確認後にビス４ｇを横方向へ複数箇所だけ離設して、これらを充分に締着しておけば、強力な棚板３に対する棚板側取着用部材４の取着を迅速に行うことができる。
【００２８】
さらに請求項１の他実施態様である請求項３につき以下説示すると、ここでは図４で理解される通り、図１に開示の内容に比し以下の如き逆転配置の構成が採択されている。すなわち下側部材４Ｂの前記立設基板４ｆは図１とは違って一枚構成で、これに下側調厚用長孔４ｈｄが穿設されており、これに対して上側部材４Ａの棚厚調整用縦板４ｄの方を、上記した立設基板４ｆが挟持されることになる上側嵌合溝４ｊｕの開口された対板構成としてある。そしてさらに、当該一対である各棚厚調整用縦板４ｄと立設基板４ｆとの各圧接面に滑止用凹凸４ｋを形成するのである。このようにすることで請求項３によるときは前記した請求項２と略同等の作用効果を発揮して、前掲請求項１の目的をより確実に達成し得ることとなる。
【００２９】
請求項４にあっても請求項１の他実施態様を明示しており、ここでは図５によって理解される通り、前記請求項２そして請求項３の場合に比し、さらにその構成が簡潔化されており、上側部材４Ａの棚厚調整用縦板４ｄに上側調厚用長孔４ｈが穿設され、下側部材４Ｂの立設基板４ｆにあってビス４ｇ止め用である下側締着用螺孔４ｉが設けられている。そして図示例では上記の立設基板４ｆが棚板３側にあって配装されている。また請求項４でも前説の滑止用凹凸４ｋを形成することが望ましく、請求項２ないし請求項３の場合と同等の作用効果を発揮し得ると共に、構成の簡素化を期待することができる。
【００３０】
本願の請求項５も、上記請求項４と同等の構成を具有しているが、両者の相違は図６により開示されている通り、下側部材４Ｂの立設基板４ｆにあって下側調厚用長孔４ｈｄが穿設され、これに対して上側部材４Ａの棚厚調整用縦板４ｄの上側締着用螺孔４ｉｕを設けるようにしてあり、実質的に請求項４の構成による作用効果と同等の性能を発揮することができる。そして、この場合も前記の請求項２ないし請求項４と同じく滑止用凹凸４ｋを具備させることが望ましく、かくして請求項４と同等の目的を達成することが可能となる。
【００３１】
さらに請求項６にあっては、前記した請求項１の構成に下記の内容を付加するようにしている。すなわち当該付加構成とは、図１、図４、図６ないし図８によって理解されるように、下側部材４Ｂに関し壁体Ｗへ指向して図示例では斜交的に延設した下位支持腕４ｍの先端部４ｎに、壁体Ｗにおける図示例では化粧パネルＭＰに当接自在なるよう形成の押当支持部４ｐと、これに連設された延出調整部４ｑとによって形成された受承脚４ｒが形成されており、当該受承脚４ｒが壁体Ｗに向けて延出自在なるよう調整ビス４ｓのビス止めによって、その延出長を加減できるようにしたことである。
【００３２】
従って上記の付加構成によるときは、調整ビス４ｓを弛めた状態で延出調整部４ｑを引き出して、その押当支持部４ｐが壁体Ｗの表面に押当する状態になったとき調整ビス４ｓを締着するのである。この結果下側部材４Ｂを壁面Ｗに対して、しっかりと当接状態に支持できることとなり、棚板３に載置させる大きな荷重にも充分に耐え得る状態に棚板３を取着することが可能となる。ここで図中４ｗは先端部４ｎに設けられた調整ビス４ｓ用の螺孔を示している。そして、この場合にも前記した滑止用凹凸４ｋと同様の原理により、下側部材４Ｂの下位支持腕４ｍにおける先端部４ｎと、押当支持部４ｐにおける延出調整部４ｑとの当接箇所にも滑止用凹凸４ｔを設けることが望ましい。なお、上記の如き受承脚４ｒにより棚板３に加わる荷重を支持する必要のない場合には、下側部材４Ｂが壁面Ｗから離間するようにしてもよく、また後述する図９（Ａ）のように上記の如き延出調整部４ｑを用いることなしに、下側部材４Ｂを直接に壁体Ｗに支持させても、また図９（Ｂ）のようにクッション材４ｕを介して壁体Ｗに支持させるようにしてもよい。なお図１、図４、図５、図６、図８中４ｖは延出調整部４ｑに穿設した調整用長孔を示している。
【００３３】
次に請求項７に係る棚受け装置について図９を参照して以下説示すると、これまた前記の請求項１、６に比し、以下の構成については全く同一である。すなわち当該同一構成とは、上向きまたは下向きに曲成されて凹設または突設された被係嵌部１ａが横設されて壁体Ｗに取着可能とした壁側取着用部材１と、上向きまたは下向きに曲成されて突設または凹設された係嵌部４ａが横設されて棚板３の一側端部３ａに着脱可能である棚板側取着用部材４とからなり、この棚板側取着用部材４は上記の係嵌部４ａと棚板挟持用横向上板部４ｂとからなる押圧用上板部４ｃと、これと直交状に下突の棚厚調整用縦板４ｄとを具備した上側部材４Ａと、前記の棚板３を受載する棚板挟持用横向下板部４ｅを備えた下側部材４Ｂとからなっていることである。そして請求項７の付加構成とは、前記下側部材４Ｂの立設基板４ｆにあって上側部材４Ａの棚厚調整用縦板４ｄが昇降自在となるように、前記の調厚用長孔４ｈに遊貫した木螺子４ｘを、棚板３の一側端縁面３ｂから螺入締着することで、棚板の一側端部３ａを下側部材４Ｂの棚板挟持用横向下板部４ｅと、上側部材４Ａの棚板挟持用横向上板部４ｂとによって挟着状態が得られるようにしたものである。
【００３４】
そして請求項８では上記請求項７に係る一実施態様を開示しており、前記の木螺子４ｘは下側部材４Ｂの立設基板４ｆに穿設した頭部用孔４ｙから、上側部材４Ａにおける棚厚調整用縦板４ｄの上側調厚用長孔４ｈを介して棚板３の一側端縁面３ｂに螺着される。さらに図９により理解される通り上記の立設基板４ｆと下側部材４Ｂの棚板挟持用横向下板部４ｅとの間に離間凹設した係嵌用溝４ｚを設けておくのである。このようにすることで、上記した係嵌用溝４ｚに棚厚調整用縦板４ｄの下端部を係嵌することにより、板厚の小さな棚板３であっても、より確実かつ容易に当該棚板３を棚板挟持用横向上板部４ｂと棚板挟持用横向下板部４ｅとによって挟着できるようにしてある。
【００３５】
以上の通り本願に係る棚受け金具は構成されているものであるが、ここで本発明の当該構成につき、よりその内容を明確化するため、請求項１に係る棚受け金具による棚板の取着用法につき以下図１ないし図３を参照して説明する。金属または木材その他の素材により形成された壁側取着用部材１を壁体Ｗに取着するには、前記の如く止め螺子２を用いたり接着その他の手段によることができ、この際当該壁側取着用部材１は所要長をもって横設される。そしてこの際上記壁側取着用部材１の前面側には、図示例の場合上向きＵに曲成された凹曲溝条としての被係嵌部１ａが、前面側へ開口されるよう設けられており、もちろん前記の如く凹曲溝条ではなしに前方へ向けて突出の突起条として形成することも可能である。
【００３６】
一方上記の取着作業と同期し、または相前後して壁体Ｗとは無関係な作業のし易い場所などを選定することで、木製とか金属または合成樹脂製である棚板３を用意し、その一側端部３ａには前記の如く図示例では上向きＵに曲成された突曲条としての係嵌部４ａが、壁体Ｗへ指向して延出されている棚板側取着用部材４を取着するのである。そして壁体Ｗに取着済の壁側取着用部材１における被係嵌部１ａに対し、適時別途棚板側取着用部材４が取着された棚板３を持つなどして回動操作することで、係嵌部４ａを壁側取着用部材１の被係嵌部１ａに装入して行くことにより、抜け止め状態となるよう係嵌することになり、かくして図１では棚板３が水平状態に横向保持される。
【００３７】
以上のような作業と操作により棚板３は壁体Ｗに対して着脱自在なるよう直交状態にて配装固設することができるだけでなく、必要に応じ当該棚板を回動させながら手前側へ図示例では上向きに引き出すようにすることで、この棚板３を随時壁体Ｗから取り外すことも可能である。
【００３８】
ここで、さらに図１の如く前掲壁体Ｗを特異な構成に仕上げた場合につき、その取着作業手順につき説示すると、壁体Ｗの一構成部材としての根太Ｊには前説の壁側取着用部材１を押当して止め螺子２などにより取着する。さらに上記の取着済である壁側取着用部材１における外周側にあって根太ＪにパネルＰを接着手段などにより配設すると共に、このパネルＰと壁側取着用部材１の前面側とに化粧パネルＭＰを、これまた接着手段などで配装取着するが、この際前記した被係嵌部１ａの前面側に横向突設されている上下横向突出縁条１ｂ、１ｃにあって、その上下端縁まで上記の化粧パネルＭＰを取着するようにしてある。従って上記の上下横向突出縁条１ｂ、１ｃの前端縁だけが表出露呈されることになるので外観を美麗に仕上げることが出来ると共に、壁側取着用部材１を取着することで取着強度を大とし、かつ配装のパネルＰと化粧パネルＭＰの取着によっても強度と美感を兼備させることができる。
【００３９】
【発明の効果】
本発明は以上のようにして構成されたものであるから請求項１の棚受け金具によるときは、棚板を回動操作するだけで、その棚板側取着用部材の係嵌部を壁体の壁側取着用部材に係脱自在なるよう簡易迅速に取り付け取り外しができるだけでなく、上記の棚板側取着用部材は上側部材と下側部材とにより構成し、下側部材の立設基板に上側部材の棚厚調整用縦板を昇降自在なるようビス止めすることで、棚板をその厚手寸法に整合させて下側部材の棚板挟持用横向下板部と、上側部材の棚板挟持用横向上板部とによって、簡易な操作により迅速かつ容易に挟着したり離脱することもできる。そして請求項２ないし請求項５は上記請求項１の各実施態様であるが、請求項２では上側長厚用長孔を穿設した棚厚調整用縦板が、一対の立設基板間に形成された下側嵌合溝に嵌合挟持されるようにし、当該挟持状態をビス止めできるように下側頭部用孔と下側締着用螺孔とが立設基板に夫々も受けられ、このビスは上記の上側調厚用長孔に遊嵌されるようにしたから、棚板の挟着作業が行い易くかつ当該挟着強度も満足すべきものとなり、請求項１の目的を確実に達成することができる。また棚厚調整用縦板と立設基板に滑止用凹凸を設けるようにすれば、不本意な挟着状態の弛緩をも阻止することができる。
【００４０】
次いで上掲請求項３によるときは、上記した請求項２とは反対構成で下側長調厚用長孔を穿設した立設基板を、一対構成とした棚厚調整用縦板間に開口させた上側嵌合溝に嵌装挟持自在とし、当該挟持状態を上側頭部用孔と上側締着用螺孔と下側調厚用長孔を用いたビス止めにより確保するよう構成したので、前記した滑止用凹凸構成の採択を含めて請求項２の場合と同等の効果を発揮することができる。
【００４１】
さらに請求項４、５にあっては、請求項２、３のように立設基板と棚厚調整用縦板とを挟持構成とするのではなしに、何れも突き合わせの構成とし、請求項４では棚厚調整用縦板に上側調厚用長孔を、そして立設基板にビス止め用の下側締着用螺孔を設けるようにし、請求項５では立設基板に下側調厚用長孔を、そして棚厚調整用縦板にビス止め用の上側締着用螺孔を設けるようにしたので、簡潔な構成で何れも請求項１の目的を達成することができると共に、滑止用凹凸の形成についても前掲の効果を発揮し得ることになる。
【００４２】
請求項６によるときは請求項１の構成に対して、下側部材における下位支持腕の先端部に受承脚を延出調整部のビス止めで延出自在なるよう固定するようにし、これにより延出調整部の押当指示部が丁度壁体に対して支持されるよう調整可能とした付加構成を具備させたので、棚板側からの荷重を壁体によって確実に指示することができる。
【００４３】
次に請求項７では請求項１、６の構成とは違って棚板の厚さに整合させた上側部材と下側部材とを、ビス止め手段によって固定するのではなく、下側部材の立設基板に上側部材の棚厚調整用縦板を昇降動自在なるよう遊嵌した木螺子により、棚板の一側端縁面から螺着されるようにして棚板を挟着するようにしたので、単なる棚板の挟着ではなく木螺子により下側部材に棚板が固定されており、従って棚板に大きな負荷が加えられても棚板の挟着状態が確保されることになる。
【００４４】
そして請求項８では上記の請求項７にあって立設基板と棚板挟持用横向下板部との間に凹設した係嵌用溝に、棚厚調整用縦板を係嵌するよう構成したので、板厚が薄い棚板でも確実に挟着することが可能となる。
【図面の簡単な説明】
【図１】
本願発明の請求項１、２、６による棚受け装置の取着状態を示し、（Ａ）は厚手の棚板を用いた場合、（Ｂ）は薄手の棚板を用いた場合の各縦断側面図である。
【図２】
図１の要部を示した部分斜視図である。
【図３】
図１の壁側取着用部材を示した部分正面図である。
【図４】
本願発明の請求項３による棚受装置の取着状態を示した縦断側面図である。
【図５】
同上請求項４による棚受装置の取着状態を示した縦断側面図である。
【図６】
同上請求項５による棚受装置の取着状態を示した縦断側面図である。
【図７】
図１の棚板側取着用部材における下側部材を示す部分正面図である。
【図８】
本願発明の請求項６に関し、下側部材における下位支持腕の先端部に付設した延出調整部の使用状態を示した拡大縦断側面図である。
【図９】
本願発明の請求項７による棚受け装置を示し、（Ａ）は厚手の棚板を用いた場合、（Ｂ）は薄手の棚板を用いた場合の各縦断側面図である。
【図１０】
旧来の棚受け装置を示した取着状態の縦断側面図である。
【図１１】
従来の取着状態における棚受け装置を示し、（Ａ）は厚手そして（Ｂ）は薄手の棚板を用いた場合の各縦断側面図である。
【符号の説明】
１    棚壁側取着用部材
１ａ  被係嵌部
３    棚板
３ａ  一側端部
３ｂ  棚板の一側端縁面
４    棚板側取着用部材
４Ａ  上側部材
４Ｂ  下側部材
４ａ  係嵌部
４ｂ  棚板挟持用横向上板部
４ｃ  押圧用上板部
４ｄ  棚厚調整用縦板
４ｅ  棚板挟持用横向下板部
４ｆ  立設基板
４ｇ  ビス
４ｇｄ  下側頭部用孔
４ｇｕ  上側頭部用孔
４ｈ  上側調厚用長孔
４ｈｄ  下側調厚用長孔
４ｉ  下側締着用螺孔
４ｉｕ  上側締着用螺孔
４ｊ  下側嵌合溝
４ｊｕ  上側嵌合溝
４ｋ  滑止用凹凸
４ｍ  下位支持腕
４ｎ  先端部
４ｐ  押当支持部
４ｑ  延出調整部
４ｒ  受承脚
４ｓ  調整ビス
４ｔ  滑止用凹凸
４ｖ  調整用長孔
４ｘ  木螺子
４ｙ  頭部用孔
４ｚ  係嵌用溝
Ｄ    下向き
Ｕ    上向き
Ｗ    壁体